(57)【要約】ティシュディスペンサ（１０，１１０）は下方を向いたティシュ取出し口（３１，１３１）を有するティシュ取出し区域（１６，１１６）、および上方を向いたティシュ廃棄口（４０，１４０）を有する廃棄区域（１５，１１５）を含む。廃棄区域は廃棄区域を膨張自在にするベローズを含んでよい。ディスペンサはシャワー室において床上方で壁に取付ける接着テープ（１０ａ）、またはロッドから吊るす細長い可撓性ストリップ（２９）、またはフック等の連結部材により取付け自在である。
2005520575.tif 000002
【特許請求の範囲】
【請求項１】
取出すティシュを収容するためのティシュ取出し区域（１６，１１６）を形成する本体、および使用済みティシュを受けるためのティシュ廃棄区域（１５，１１５）を含み、前記ティシュ取出し区域はティシュ取出し口（３１，１３１）を有し、前記ティシュ廃棄区域はティシュ廃棄口（４０，１４０）を有し、前記本体は上部および下部を形成するティシュディスペンサにおいて、
前記ティシュ取出し口は前記下部に形成されかつ下方を向き、かつ前記ティシュディスペンサは前記ティシュ取出し口を露出するために床レベル上方に前記ディスペンサを締結するためのファスナ（１０ａ，２９）を含むことを特徴とする、ティシュディスペンサ。
【請求項２】
前記ティシュ廃棄口は前記ティシュディスペンサの上部内に形成されている、請求項１によるティシュディスペンサ。
【請求項３】
前記ティシュ廃棄区域は前記ティシュ取出し区域の直下で垂直方向に形成されている、請求項２によるティシュディスペンサ。
【請求項４】
前記ティシュ廃棄区域は前記ティシュ取出し区域の直下で垂直方向に形成されている、請求項１によるティシュディスペンサ。
【請求項５】
前記ティシュディスペンサは背部を含み、前記ファスナは前記背部上に付与された接着剤（１０ａ）を含む、請求項１によるティシュディスペンサ。
【請求項６】
前記ファスナは前記本体を懸垂するための細長いストリップ要素（２９）を含む、請求項１によるティシュディスペンサ。
【請求項７】
前記ティシュ廃棄区域は容積膨張自在である、請求項１によるティシュディスペンサ。
【請求項８】
前記ティシュ廃棄区域を形成する本体の一部はその本体の周辺全体に延在するベローズ（１２６）を含みかつ前記ティシュ廃棄区域を拡大するために折り畳んだ状態から膨張自在である、請求項７によるティシュディスペンサ。
【請求項９】
取出すティシュを収容するためのティシュ取出し区域（１６）を形成する本体、および使用済みティシュを受けるためのティシュ廃棄区域（１５）を含み、前記ティシュ取出し区域はティシュ取出し口（３０）を有し、前記ティシュ廃棄区域はティシュ廃棄口（４０）を有し、前記本体は床レベル上方にディスペンサを締結するために接着剤（１０ａ）が付与された背部を含み、前記ティシュ取出し口および前記ティシュ廃棄口は前記背部から離隔している、ティシュディスペンサ。
【請求項１０】
フエイシャルティシュを収容するためのティシュ取出し区域（１６，１１６，２１６）を形成する本体、および使用済みティシュを受けるためのティシュ廃棄区域（１５，１１５，２１８）を含み、前記ティシュ取出し区域はティシュ取出し口（３１，１３１，２１４）を有し、前記ティシュ廃棄区域はティシュ廃棄口（４０，１４０，２２２）を有し、かつ床レベル上方に前記本体を懸垂するための細長いストリップ要素（２９，２９ａ）を含む、ティシュディスペンサ（１０，１１０，２１０）。
【請求項１１】
取出すティシュを収容するためのティシュ取出しセクション（１１６，２１６）を形成する本体、および使用済みティシュを受けるためのティシュ廃棄セクション（１１５，２１８）を含み、前記ティシュ取出しセクションはティシュ取出し口（１３１，２１４）を有し、かつ前記ティシュ廃棄セクションはティシュ廃棄口（１４０，２２２）を有し、かつ前記ティシュ廃棄セクション（１１５，２１８）は少なくとも二倍に容積膨張可能である、ティシュを取り出すためのティシュディスペンサ（１１０，２１０）。
【請求項１２】
前記容積は二倍を越える、請求項１１によるティシュディスペンサ。
【請求項１３】
前記ティシュ廃棄セクションを形成する本体の一部はその本体の周辺全体に延在するベローズ（１２６）を含みかつ前記ティシュ廃棄セクションを拡大するために折り畳み状態から膨張自在である、請求項１１によるティシュディスペンサ。
【請求項１４】
前記本体は前記ティシュ廃棄セクションが膨張するときに相互から遠ざかる両端を形成し、前記ティシュ取出し口および前記ティシュ廃棄口は前記両端のそれぞれに配置されている、請求項１３によるティシュディスペンサ。
【請求項１５】
前記両端はそれぞれ前記ティシュディスペンサの上端および下端を形成し、前記ティシュ取出し口は前記下端に形成されかつ下方を向いている、請求項１４によるティシュディスペンサ。
【請求項１６】
前記本体は実質的円形断面形状を有する、請求項１３によるティシュディスペンサ。
【請求項１７】
前記本体は矩形断面形状を有する、請求項１３によるティシュディスペンサ。
【請求項１８】
前記本体を床レベル上方に支持するための連結部材を更に含む、請求項１３によるティシュディスペンサ。
【請求項１９】
前記連結部材は前記本体を懸垂するための細長いストリップ要素（２９）を含む、請求項１８によるティシュディスペンサ。
【請求項２０】
前記連結部材はフックを含む、請求項１８によるティシュディスペンサ。
【請求項２１】
Ａ）取出すティシュを収容するためのティシュ取出し区域、および使用済みティシュを受けるためのティシュ廃棄区域（１５，１１５）を有し、前記ティシュ取出し区域がティシュ取出し口（３１，１３１）を有し、前記ティシュ廃棄区域がティシュ廃棄口（４０，１４０）を有するティシュディスペンサ（１０，１１０）を用意する工程、および
Ｂ）床レベル上方でシャワー室に前記ティシュディスペンサを取り付ける工程を含む、シャワー室にティシュディスペンサを設置する方法。
【請求項２２】
前記工程Ｂは、前記ティシュ取出し口を下方に向けて前記ティシュディスペンサを取り付けることを含む、請求項２１による方法。
【請求項２３】
前記工程Ｂは、前記ティシュ廃棄口を上方に向けて前記ティシュディスペンサを取り付けることを含む、請求項２２による方法。
【請求項２４】
前記工程Ｂは、前記ティシュ取出し口および前記ティシュ廃棄口を相互に反対方向に向けて前記ティシュディスペンサを取り付けることを含む、請求項２１による方法。
【請求項２５】
前記工程Ｂは、前記ティシュ廃棄区域および前記ティシュ取出し区域を垂直方向に上下に配向して前記ティシュディスペンサを設置することを含む、請求項２１による方法。
【請求項２６】
前記工程Ｂは、前記ディスペンサの背部に付与された接着剤要素（１０ａ）により垂直壁に前記ティシュディスペンサを接着することを含む、請求項２１による方法。
【請求項２７】
前記工程Ｂは、前記ティシュディスペンサを支持体から懸垂することを含む、請求項２１による方法。
【発明の詳細な説明】
【技術分野】
【０００１】
本発明は概ねティシュディスペンサの分野に関し、絶対的ではないが特にバスルームおよび隣接領域で、人々が使用できる十分なティシュを提供するためのティシュディスペンサに関する。
【背景技術】
【０００２】
過去において、人々は一般的ドライティシュを使用して鼻腔を通し、かかるティシュは、バスルームで使用されるときに、概ね乾燥を維持する領域に設置される。バスルームの乾燥領域におけるドライティシュの使用は、鼻腔の粘膜がバスルームの乾燥領域では、シャワー室、バスタブ、サウナ、スチームルーム等の湿気を帯びかつ湿った領域と比較して、緩くなくかつは排出が容易でない。
【０００３】
多くの装置は供給物を取出しかつ使用後にそれを廃棄するように設計されている。しかし、これらの装置はシャワー室における至便使用に適していない。更に、殆どのかかる装置は、ＵＳＰ３，３７２，８３７でNeumannによりかつＵＳＰ５，０５４，６１２でMeyer,Jrにより提供されたように取出し兼廃棄ユニットの固定容積を有する。これらの装置は、固定容積であるために嵩高くかつ余分の空間を必要とし、それにより狭い領域での取付けを困難にし、かつ商店の棚上に相対的に大きい空間を必要とする。他の装置は、ＵＳＰ３，２２１，９１８においてHornによりかつＵＳＰ５，１２９，５４５においてParksにより記載されたように、取出しセクションと廃棄セクション間の空間を共有する。ティシュがその装置内の固定容積から取出されたときに、使用済みティシュの保管のために空間が空になる。更に、上述の固定容積の問題に加えて、この試みは、かかる供給物の除去により空になった容器が使用済み供給物を廃棄するために必要な容積と同等にならないので問題がある。従って、使用済み供給物は廃棄セクションに適合せず、かつ更に付加的容積が装置の設計に必要となり、結果として空間問題を生じる大きな装置になる。ＵＳＰ４，９１９，３０２においてMcPhersonにより記載された装置は折り畳み可能廃棄ユニットを追加することによりこの問題の解決を指向する。しかし、この装置は、商店の棚の空間の問題のみに向けられ、かつ固定容積廃棄セクションの膨張により、固定容積ディスペンサと同一問題を生じる。
【０００４】
上述のごとく、ティシュ取出し技術はかなり開発されている。しかし、既存技術はかかるディスペンサの有効使用を最高にするものでない。更に、既存ディスペンサは便利で空間効率のよいティシュ廃棄を提供するものでない。結果的に、ティシュ取出しおよび廃棄の分野において改良の必要がある。
【０００５】
【特許文献１】ＵＳＰ３，３７２，８３７，ＵＳＰ５，０５４，６１２，ＵＳＰ３，２２１，９１８，ＵＳＰ５，１２９，５４５，ＵＳＰ４，９１９，３０２
【発明の開示】
【発明が解決しようとする課題】
【０００６】
本発明の主な課題は、最小限の保管棚空間とユーザスペースを使用する単一の取出し兼廃棄装置から人々がティシュを取出し、使用し、かつ廃棄できるようにすることである。本発明の他の課題は、例えば、シャワー室、自動車、遊泳プール際、海岸、またはその他の野外まこは屋外環境等の製品を使用しないような環境において、人々がディスペンサを至便かつ衛生的に使用するために便利でコンパクトなディスペンサを利用できるようにすることである。本発明の他の課題は、人々による使用済みティシュの容易かつ至便な廃棄を可能にする廃棄装置を含むことより使用済みティシュを更に一層容易に廃棄できるようにすることである。
発明の概要
【０００７】
本発明は取出すためのティシュを収容するティシュディスペンサ区域を形成する本体、および使用済みティシュを受けるティシュ廃棄区域を含むティシュディスペンサに関する。ティシュ取出し区域はティシュ取出し口を有し、かつティシュ廃棄区域はティシュ廃棄口を有する。本体は上部および底部を有する。ティシュ取出し口は底部に形成されかつ下方を向いている。ディスペンサは、例えば、ティシュ取出し口を露出するためにディスペンサを床レベル上方に締結するための接着テープ、または細長いストリップ等のファスナを含む。ファスナは、例えば、ディスペンサを壁に接着するための接着テープ、シャワーヘッドまたはカーテンロッドからディスペンサを懸垂するための細長いストリップまたはフックを含んでよい。
【０００８】
本発明の他の特徴は、ティシュ廃棄区域が、例えば、ディスペンサの一部をベローズとして形成されることにより膨張自在であり、そのようにしてディスペンサが折り畳んだ状態で出荷でき、かつ使用済みティシュを収容するためにユーザが徐々に膨張させることができる。
【発明を実施するための最良の形態】
【０００９】
図１に示されたように、ディスペンサ１０はシャワー室１１において示され、人は代表的シャワースプレイヘッド１２の下からディスペンサ１０に簡単に手を延ばすことができる。
【００１０】
図２の斜視図に示されたように、ディスペンサ１０は水平形態を有するものとして示されているが、他の異なる外形が所望により使用できる。ディスペンサ１０は二つの主要部として、ディスペンサ１０の幅および深さの実質的全長に及ぶ内壁１８により集積所または廃棄区域１５から分離した取出し区域１６を有する。取出し区域１６はティシュカートリッジ２５を取外し自在に収容かつ固定できる容器を形成する。カートリッジ２５はその容積にぴったり取り付けるか、またはクリップ、その他の拘束装置を使用して固定される。カートリッジ２５はディスペンサ１０の底壁４２に形成された取出し口３１から、当分野で周知の「ポップアウト(pop out)」式に、引き出すことのできる複数のティシュ３０を収容する。取出し区域１６の内部へのアクセスはディスペンサ１０の底壁４２の一部を形成する軸回転ドア４２ａにより可能である。ドア４２ａはその後縁部６０に沿って設けられた蝶番３６によりディスペンサ１０に取り付けられ、かつ反対の前縁部６１に沿って位置決めされたラッチ機構３８により閉鎖位置に固定される。このようにして、フエイシャルティシュまたはウエットワイプ等のティシュ３０がカートリッジ２５内で消費されたときに、ティシュは新しいカートリッジにより容易に取り換えられる。
【００１１】
廃棄区域１５は、使用済みティシュを受けるために取外し自在の受器２６を収容するための、または使用済みティシュを直接受けるための廃棄容器２７を形成する。取出し区域１６と同様に、廃棄区域１５は蝶番３５によりディスペンサ１０へ軸回転自在に取り付けられたドア４２ｂを備えかつラッチ機構３７により閉鎖位置に係止される。廃棄区域１５は、ディスペンサの後上縁部に沿って設けられた蝶番４３によりディスペンサ１０へ取り付けられた第二軸回転自在ドア４１を有する。使用済みティシュは、廃棄区域１５の上壁４５に設けられた開口部４０を形成するハトメ状部材を形成する可撓性フィンガのアレイを介して廃棄区域１５、廃棄容器２７および受器２６へ挿入される。廃棄容器２７内のごみ箱、即ち受器２６は、ティシュを受けかつ廃棄容器２７から除去かつ廃棄でき、または清掃して戻される。このようにして、ユーザは除去するときに使用済みティシュに物理的に接触しない。
【００１２】
選択的に、上述のごとく、使用済みティシュが廃棄容器２７へ直接置かれる場合には、廃棄容器２７が充填されたときに、ユーザは使用済みティシュを除去しかつドア４２ｂを開放することにより内部を清掃できる。
【００１３】
ディスペンサ１０は感圧耐水接着剤またはテープ１０ａを備えていてディスペンサ１０の壁等への固定を可能にすることが好ましい。しかし、理解されるように、他の連結方法が同様に採用できる。例えば、図２Ａに示されたように、コード、ロッドまたはスナップ付きストラップ２９等の取外し自在の細長い可撓性ストリップ、またはフック２９ａ（図２Ｂ）等の細長い要素を使用してシャフワスプレイヘッドまたはカーテンロッド１２ａの上からディスペンサ１０を懸垂する、または支持壁または構造体に取外し自在にディスペンサを固定するスライディングアイレットおよびボルト締結装置が採用できる。
【００１４】
図３の斜視図に示されたように、ディスペンサ１０は垂直形態を有するものとして示されているが、他の異なる外形が所望により使用できる。ディスペンサ１０は二つの主要セクションで構成され、ディスペンサ区域１６は集積所または廃棄区域１５からディスペンサ１０の長さおよび幅の実質的全長にわたる内壁１８により分離している。ディスペンサ区域１６は取外し自在にティシュカートリッジ２５を収容しかつ固定できる容器または容積を形成する。カートリッジ２５はその容器へしっかりと取り付けることにより固定されるかまたはクリップまたは他の拘束装置を使用して固定される。カートリッジ２５は当分野で周知の「ポップアウト」法によりディスペンサ１０の底壁４２内に形成された取出し口から引き出される。取出し区域１６の内部へのアクセスはディスペンサ１０の底壁４２の一部または全部を形成する軸回転自在ドア４２ａにより可能である。ドア４２ａはその後縁部６０に沿って設けられた蝶番３６によりディスペンサ１０へ取り付けられかつ反対の前縁部６１に沿って位置決めされたラッチ機構３８により閉鎖位置に固定される。そのようにして、カートリッジ２５内のティシュ３０が消費されたときには、新しいカートリッジに容易に交換される。
【００１５】
廃棄区域１５は、使用済みティシュを直接受けるかまたは使用済みティシュを受けるために取外し自在の受器を収容するために廃棄容器２７を形成する。取出し区域１６と同様に、廃棄区域１５は蝶番３５によりディスペンサ１０へ軸回転自在に取り付けられかつラッチ機構３７により閉鎖位置に係止されるドア４３を有する。使用済みティシュは、廃棄区域１５の上壁４５上に形成された開口部４０を形成するハトメのような部材を形成する可撓性フィンガのアレイから廃棄区域１５そして廃棄容器２７へ挿入される。使用済みティシュは廃棄容器２７へ直接入れられかつ廃棄容器２７が一杯になると、ユーザは使用済みティシュを除去できかつドア４３を介して内部を清掃できる。選択的に、上述したように、廃棄容器２７に使用されるごみ箱はティシュを受けかつ除去かつ廃棄でき、または清掃されかつ廃棄容器２７へ戻される。このようにして、ユーザは使用済みティシュを除去するときに使用済みティシュに物理的に接触しない。
【００１６】
ディスペンサ１０は、ディスペンサを壁等に固定するために、好適には、感圧耐水性接着剤またはテープ５０を装備する。しかし、理解されるように、他の締結法が同様に採用できる。例えば、ディスペンサの支持壁への取外し自在の固定を可能にするスライディングアイレットおよびボルト締結装置が採用でき、またディスペンサ１０のシャワースプレイヘッド上への懸垂はコードまたはロープまたはストラップ２９等の細長いストリップを使用する。
【００１７】
ティシュ取出し口３１は、新しいティシュを可能なかぎり乾燥状態に維持するために、好適には下方へ向けて配置されるか、または可能であればディスペンサの垂直側に形成することが好ましい。
【００１８】
図４Ａ，４Ｂ，５Ａ，５Ｂの斜視図に示されたように、ディスペンサ１０は概ね矩形形態を有するが、水平方向の形態または他の形態が容易に使用できる。ディスペンサ１１０は二つの主要セクションを有し、取出しセクション１１６は取出しセクション上部１１８により廃棄セクション１１５から分離している。取出しセクション１１６は十分なティシュ１３０を収容するための容器を形成し、ティシュは、従来周知の「ポップアウト」法によりディスペンサ１１０の底壁１４２に形成された取出し孔１３１から引き出すことができる。ティシュは使い捨て可能取出しセクション１１６へ封入されるか、またはティシュカートリッジで再補充される。
【００１９】
廃棄セクション１１５は使用済みティシュを受けるためにごみ箱１２７を形成する。使用済みティシュは廃棄セクション１１５の上壁１４５上に形成された廃棄口１４０からごみ箱１２７へ挿入される。ごみ箱１２７は廃棄セクション１１５の可撓性ベローズ１２６を膨張または圧縮することにより拡張または収縮する。廃棄容器１２７は図４Ａおよび５Ａにおいて可撓性ベローズ１２６が圧縮された最小体積（容積）で示され、かつ図４Ｂおよび５Ｂにおいて可撓性ベローズ１２６は未圧縮の最大容積で示されており、この容積は例えば、二倍または三倍を越える容積であってよい。可撓性ベローズ１２６は形状保持できる剛性をもち、柔軟運動が可能ないずれかの材料で形成されてよい。例えば、プラスチック、ゴムまたはカードボードが使用できる。
【００２０】
ディスペンサ１１０は容易運搬を可能にするハンドル１５０を有するのが好ましい。しかし、理解されるように、他の運搬または締結方法が採用でき、例えば、コードまたはロープ等の相対的に長く細いストリップ、スライディングアイレットおよびボルト締結装置がディスペンサの支持壁またはシャワーヘッドまたはカーテンロッドへ取外し自在に固定するために使用できる。
【００２１】
図６に示されたディスペンサ１１０の一形態において、取出しセクション１１６および廃棄蓋またはキャップ１４８はディスペンサ１１０から取外しできる。可撓性ベローズ１２６は連結端を有する。廃棄キャップ連結端１４２ａおよび取出しセクション端１４２ｂは、廃棄蓋ネジ１４３ａおよび取出しセクションネジ１４３ｂにより相互に対して螺合する。選択的に、廃棄キャップ連結端および取出しセクション端は接着剤またはスナップ等の接着または締結により一緒に結合するように形成できる。廃棄蓋１４８または取出しセクション１１６の取外しは、ユーザがごみ箱２７を空にしかつ／または清掃することを可能にする。選択的に、ディスペンサ１１０は使い捨て可能であってよい。
【００２２】
他の形態のディスペンサ２１０は図７Ａ，７Ｂに示されている。この形態は本体の垂直側壁２１６に形成された取出し口２１４を有する上取出しセクション２１２を形成する本体を有する。ティシュ廃棄セクション２１８は、取出しセクションの下に形成され、かつ水平壁２２０によりそこから分離している。側廃棄口２２２は取出し口２１４の下でディスペンサに形成されている。可撓性プラスチックバッグ２２４は、バッグ２２４の本体から吊り下げを可能にして、廃棄口２２２から挿入される使用済みティシュを受けるために、本体の下端に取り付けられた上開放端を有する。ディスペンサはバッグを本体の下側に折り畳んだ状態で出荷できるように製造される（図７Ｂ参照）。そこで、ユーザは、例えば、引き裂きストリップまたはテープを取外することにより、適宜方法でバッグを解放して、バッグを図７Ａの位置へ垂下させることができる。廃棄セクションの容積は、例えば、ゼロから始まって数倍まで膨張する。
【００２３】
本発明は好適形態に関連して説明されたが、当業者に理解されるように、特に記載されていない付加、削除、変更および置換が特許請求の範囲に記載の範囲および精神から逸脱することなく可能である。
【図面の簡単な説明】
【００２４】
【図１】本発明を備えたシャワー室の部分的斜視図である。
【図２】説明のために一部が省略された本発明の実施形態の斜視図である。Ａはディスペンサを吊るすための懸垂紐を示す本発明によるディスペンサの上部断片図である。Ｂはフックタイプの懸垂部材を示すＡと同様の図である。
【図３】説明のために一部を省略した本発明の実施形態の斜視図である。
【図４】Ａは閉鎖／圧縮状態の本発明の実施形態の斜視図である。Ｂは開放または未圧縮状態のＡの斜視図である。
【図５】Ａは閉鎖／圧縮状態の本発明の実施形態の斜視図である。Ｂは開放／未圧縮状態のＡの斜視図である。
【図６】図４Ａ，４Ｂの実施形態の分解図である。
【図７】Ａは廃棄バッグが垂下位置にある本発明の他の実施形態の斜視図である。ＢはＡのバッグの折り畳んだ状態を示す斜視図である。
【図１】
2005520575.tif 000003
【図２】
2005520575.tif 000004
【図２Ａ】
2005520575.tif 000005
【図２Ｂ】
2005520575.tif 000006
【図３】
2005520575.tif 000007
【図４Ａ】
2005520575.tif 000008
【図４Ｂ】
2005520575.tif 000009
【図５Ａ】
2005520575.tif 000010
【図５Ｂ】
2005520575.tif 000011
【図６】
2005520575.tif 000012
【図７Ａ】
2005520575.tif 000013
【図７Ｂ】
2005520575.tif 000014
【国際調査報告】
2005520575.tif 000015
2005520575.tif 000016
2005520575.tif 000017
2005520575.tif 000018
2005520575.tif 000019
2005520575.tif 000020